(57)【要約】【課題】トラス構造の強さとその強さの理由を誰もに容易に理解させることができる、トラス構造の強度体験設備等を提供する。【解決手段】体験希望者１４にのってもらうことのできる台１が備えられ、台１は、上弦材３と下弦材４とをつなぎ材５で非三角部６を残すように連結した構造体７を支持梁にして、撓み可能に設置されており、支持梁７には非三角部６を三角部にするつなぎ材１０を着脱可能に連結する連結部１１が備えられ、着脱つなぎ材１０は支持梁７とは別に備えられ、着脱つなぎ材１０を、支持梁７の連結部１１を使用して連結することにより、台１の撓みが減少ないしは阻止されるようになされている。【選択図】      図１
2006098860.tif 000002
【特許請求の範囲】
【請求項１】
体験希望者にのってもらうことのできる台が備えられ、
該台は、上弦材と下弦材とをつなぎ材で非三角部を残すように連結した構造体を支持梁にして、撓み可能に設置されており、
該支持梁には前記非三角部を三角部にするつなぎ材を着脱可能に連結する連結部が備えられ、
該着脱つなぎ材は前記支持梁とは別に備えられ、
該着脱つなぎ材を、前記支持梁の連結部を使用して連結することにより、台の撓みが減少ないしは阻止されるようになされていることを特徴とするトラス構造の強度体験設備。
【請求項２】
請求項１に記載の設備を用い、体験希望者に体験を行ってもらうことを特徴とするトラス構造の強度説明方法。
【発明の詳細な説明】
【技術分野】
【０００１】
本発明は、トラス構造の強度体験設備に関する。
【背景技術】
【０００２】
トラス構造は、建物や橋梁など、一般の人の目につく多くのところに構造材として採用されており、トラス構造のことを知らない人はいない。
【発明の開示】
【発明が解決しようとする課題】
【０００３】
しかしながら、トラス構造が強い理由と、どのくらい強いのかを知っている人は以外に少ない。
【０００４】
本発明は、かかる背景において、トラス構造の強さとその強さの理由を誰もに容易に理解させることができる、トラス構造の強度体験設備等を提供することを課題とする。
【課題を解決するための手段】
【０００５】
上記の課題は、体験希望者にのってもらうことのできる台が備えられ、
該台は、上弦材と下弦材とをつなぎ材で非三角部を残すように連結した構造体を支持梁にして、撓み可能に設置されており、
該支持梁には前記非三角部を三角部にするつなぎ材を着脱可能に連結する連結部が備えられ、
該着脱つなぎ材は前記支持梁とは別に備えられ、
該着脱つなぎ材を、前記支持梁の連結部を使用して連結することにより、台の撓みが減少ないしは阻止されるようになされていることを特徴とするトラス構造の強度体験設備によって解決される。
【０００６】
また、この設備を用い、体験希望者に体験を行ってもらうことを特徴とするトラス構造の強度説明方法によって解決される。
【０００７】
この体験設備によれば、非三角部を三角部にする着脱つなぎ材を使用する前と後とについて、それぞれ、体験希望者に台の上にのってもらい、台の撓み具合を体験してもらう。そうすることによって、体験者は、それが子供であっても、トラス構造の強さの理由が三角部にあること、そして、三角部を形成することによってどのくらい強くなるのかを、自らのからだを通じて容易に理解することができ、トラス構造の強さとその強さの理由を誰もに容易に理解させることができる。
【０００８】
しかも、上記の体験設備は、体験希望者の体重を支持梁への荷重として利用するものであるから、設備に荷重付与のための機器や設備は不要で、簡素な設備で体験してもらうことができる。
【０００９】
加えて、体験希望者が台に乗る形式であるので、体験希望者の身体的負担も少なく、誰もに、体験してみようという気持ちを起こさせることができる。
【発明の効果】
【００１０】
本発明は、以上のとおりのものであるから、トラス構造の強さとその強さの理由を誰もに容易に理解させることができる。
【発明を実施するための最良の形態】
【００１１】
次に、本発明の実施最良形態を図面に基づいて説明する。
【００１２】
図３に示す実施形態の設備において、１は体験用の台であり、該台１は、体験希望者のその上にのってもらうことができるように段２，２が備えられていて、台１は、上弦材３と下弦材４とを軸状のつなぎ材５…で非三角部６…を残すように連結した構造体７を支持梁にして、二列の支持梁７上に合板等の面材８が載せられ、両端を単純支持状態にして撓み可能に床面９上に設置されている。台１の上面高さ位置は、台１が撓むことによって、撓んだ部分が床面９に当接しない高さであって、台１にのった人が床面９に落ちてもケガをするおそれのない高さに設定させている。そして、上記の支持梁７には、着脱つなぎ材１０…を着脱可能に連結する連結部１１…が備えられている。
【００１３】
着脱つなぎ材１０は、支持梁７の非三角部６…を図４（イ）に示すように三角部１３…にして支持梁７をトラス構造にするもので、図３に示すように、台１とは別に備えられている。該着脱つなぎ材１０は、軸状をした山形の斜材からなっていて、節の部分と両先端部に、支持梁７の連結部に連結する連結部１２…が備えられている。
【００１４】
着脱つなぎ材１０と支持梁７との連結構造に制限はないが、例えば、図４（ロ）に示すように、支持梁７の側の連結部１１をピン状の突起部で形成すると共に、着脱つなぎ材１０の側の連結部１２を孔とし、着脱つなぎ材１０の孔１２に支持梁７側のピン状突起部１１を差し込むことで着脱可能に、図４（イ）に示すように連結することができるようになされているものなどを、好適に採用することができる。
【００１５】
上記の体験設備では、支持梁７における非三角部６…を三角部にする着脱つなぎ材１０…を使用する前と後とについて、図１及び図２に示すように、それぞれ、体験希望者１４に台１の上にのってもらい、台１の撓み具合を実際に体験してもらう。そうすることによって、体験者１４は、それが子供であっても、トラス構造の強さの理由が三角部にあること、そして、三角部を形成することによってどのくらい強くなるのかを、自らのからだを通じて容易に理解することができ、トラス構造の強さとその強さの理由を誰もに容易に理解させることができる。
【００１６】
しかも、上記の体験設備は、体験希望者１４の体重を支持梁７への荷重として利用するものであるから、設備に荷重付与のための機器や設備は不要で、簡素な設備で体験してもらうことができ、また、体験希望者が台１に乗る形式であるので、体験希望者１４の身体的負担も少なく、誰もに、体験してみようという気持ちを起こさせることができる。
【００１７】
以上に、本発明の実施形態を示したが、本発明はこれに限られるものではなく、発明思想を逸脱しない範囲で各種の変更が可能である。例えば、支持梁や着脱つなぎ材の構成に制限はなく、各種形態をしていてよい。また、上弦材３や下弦材４は、それぞれ一体物の軸材からなっていてもよいし、複数本の軸材をつないで構成されたものであってもよい。
【図面の簡単な説明】
【００１８】
【図１】実施形態の体験設備を示すもので、着脱つなぎ材を付けていない台で体験希望者に体験をしてもらっている状態を示す状況斜視図である。
【図２】着脱つなぎ材を付けた台で体験希望者に体験をしてもらっている状態を示す状況斜視図である。
【図３】体験設備を構成する台と着脱つなぎ材を示す正面図である。
【図４】図（イ）は着脱つなぎ材を付けた状態の台の正面図、図（ロ）は支持梁と着脱つなぎ材の連結構造を示す概略斜視図である。
【符号の説明】
【００１９】
１…体験用の台
３…上弦材
４…下弦材
６…非三角部
７…支持梁（構造体）
１０…着脱つなぎ材
１１…連結部
１２…連結部
１３…三角部
１４…体験希望者
【図１】
2006098860.tif 000003
【図２】
2006098860.tif 000004
【図３】
2006098860.tif 000005
【図４】
2006098860.tif 000006